(57)【要約】【課題】乗客コンベアの保守員が携帯する治具として利用できる乗客コンベアの移動手摺保守具を提供する。【解決手段】乗客コンベアの移動手摺保守具は、乗客コンベアの欄干の上部に設けられた案内レールに対して着脱自在に設けられた固定部と、前記固定部の上部に連結され、前記案内レールに案内される移動手摺が前記案内レールから浮いた状態において前記固定部が前記案内レールに取り付けられた際に、前記移動手摺の内側に嵌った状態で前記移動手摺の内側を保守する保守部と、を備えた。【選択図】図７
2018184240.tif 000002
【特許請求の範囲】
【請求項１】
乗客コンベアの欄干の上部に設けられた案内レールに対して着脱自在に設けられた固定部と、
前記固定部の上部に連結され、前記案内レールに案内される移動手摺が前記案内レールから浮いた状態において前記固定部が前記案内レールに取り付けられた際に、前記移動手摺の内側に嵌った状態で前記移動手摺の内側を保守する保守部と、
を備えた乗客コンベアの移動手摺保守具。
【請求項２】
前記保守部は、前記移動手摺が前記案内レールから浮いた状態において前記固定部が前記案内レールに取り付けられた際に、上部の側で前記移動手摺の内側における前記移動手摺の下面を清掃し、側部の側で前記移動手摺の内側における前記移動手摺の側面に潤滑剤を塗布する請求項１に記載の乗客コンベアの移動手摺保守具。
【請求項３】
前記保守部は、前記移動手摺が前記案内レールから浮いた状態において前記固定部が前記案内レールに取り付けられた際に、前記移動手摺の内側を清掃する請求項１に記載の乗客コンベアの移動手摺保守具。
【請求項４】
前記保守部は、前記移動手摺が前記案内レールから浮いた状態において前記固定部が前記案内レールに取り付けられた際に、前記移動手摺の内側に嵌った状態で前記移動手摺の内側に潤滑剤を塗布する請求項１に記載の移動手摺保守具。
【請求項５】
請求項１から請求項４のいずれか１項に記載の移動手摺保守具と、
前記案内レールに対して着脱自在に設けられ、前記移動手摺が前記案内レールから浮いた状態において前記移動手摺の移動方向に対して前記移動手摺保守具の先で前記案内レールに取り付けられた際に、前記移動手摺を下方から支持する移動手摺支持具と、
を備えた乗客コンベアの移動手摺保守装置。
【請求項６】
乗客コンベアの欄干の上部に設けられた案内レールに対して着脱自在に設けられ、前記案内レールに案内される移動手摺が前記案内レールから浮いた状態において前記案内レールに取り付けられた際に、前記移動手摺の内側に嵌った状態で移動手摺の内側を清掃する第１移動手摺保守具と、
前記案内レールに対して着脱自在に設けられ、前記移動手摺が前記案内レールから浮いた状態において前記移動手摺の移動方向に対して前記第１移動手摺保守具の先で前記案内レールに取り付けられた際に、前記移動手摺の内側に嵌った状態で移動手摺の内側に潤滑剤を塗布する第２移動手摺保守具と、
前記案内レールに対して着脱自在に設けられ、前記移動手摺が前記案内レールから浮いた状態において前記移動手摺の移動方向に対して前記第２移動手摺保守具の先で前記案内レールに取り付けられた際に、前記移動手摺を下方から支持する移動手摺支持具と、
を備えた乗客コンベアの移動手摺保守装置。
【請求項７】
乗客コンベアの欄干の上部に設けられた案内レールに案内される移動手摺を前記案内レールから取り外す移動手摺取り外し工程と、
請求項５または請求項６に記載の移動手摺保守装置を前記案内レールに取り付ける移動手摺保守装置取付工程と、
前記移動手摺保守装置が前記案内レールに取り付けられた状態で前記移動手摺を前記移動手摺保守装置に嵌め込む移動手摺嵌め込み工程と、
前記移動手摺が前記移動手摺保守装置に嵌め込まれた状態で前記移動手摺を移動させる移動手摺移動工程と、
を備えた乗客コンベアの移動手摺保守方法。
【発明の詳細な説明】
【技術分野】
【０００１】
この発明は、乗客コンベアの移動手摺保守具、およびこれを用いた移動手摺保守装置、移動手摺保守方法に関する。
【背景技術】
【０００２】
特許文献１は、乗客コンベアの移動手摺保装置を開示する。当該移動手摺保守装置によれば、移動手摺の内側に潤滑剤を塗布し得る。
【先行技術文献】
【特許文献】
【０００３】
【特許文献１】特開２０１４−２４６７１号公報
【発明の概要】
【発明が解決しようとする課題】
【０００４】
しかしながら、特許文献１に記載の移動手摺保守装置は、乗客コンベアに予め設置される。このため、当該移動手摺保守装置は、乗客コンベアの保守員が携帯する治具として利用できない。
【０００５】
この発明は、上述の課題を解決するためになされた。この発明の目的は、乗客コンベアの保守員が携帯する治具として利用できる乗客コンベアの移動手摺保守具、および、これを用いた移動手摺保守装置、移動手摺保守方法を提供することである。
【課題を解決するための手段】
【０００６】
この発明に係る乗客コンベアの移動手摺保守具は、乗客コンベアの欄干の上部に設けられた案内レールに対して着脱自在に設けられた固定部と、前記固定部の上部に連結され、前記案内レールに案内される移動手摺が前記案内レールから浮いた状態において前記固定部が前記案内レールに取り付けられた際に、前記移動手摺の内側に嵌った状態で前記移動手摺の内側を保守する保守部と、を備えた。
【０００７】
この発明に係る乗客コンベアの移動手摺保守装置は、前記移動手摺保守具と、前記案内レールに対して着脱自在に設けられ、前記移動手摺が前記案内レールから浮いた状態において前記移動手摺の移動方向に対して前記移動手摺保守具の先で前記案内レールに取り付けられた際に、前記移動手摺を下方から支持する移動手摺支持具と、を備えた。
【０００８】
この発明に係る乗客コンベアの移動手摺保守装置は、乗客コンベアの欄干の上部に設けられた案内レールに対して着脱自在に設けられ、前記案内レールに案内される移動手摺が前記案内レールから浮いた状態において前記案内レールに取り付けられた際に、前記移動手摺の内側に嵌った状態で移動手摺の内側を清掃する第１移動手摺保守具と、前記案内レールに対して着脱自在に設けられ、前記移動手摺が前記案内レールから浮いた状態において前記移動手摺の移動方向に対して前記第１移動手摺保守具の先で前記案内レールに取り付けられた際に、前記移動手摺の内側に嵌った状態で移動手摺の内側に潤滑剤を塗布する第２移動手摺保守具と、前記案内レールに対して着脱自在に設けられ、前記移動手摺が前記案内レールから浮いた状態において前記移動手摺の移動方向に対して前記第２移動手摺保守具の先で前記案内レールに取り付けられた際に、前記移動手摺を下方から支持する移動手摺支持具と、を備えた。
【０００９】
この発明に係る乗客コンベアの移動手摺保守方法は、乗客コンベアの欄干の上部に設けられた案内レールに案内される移動手摺を前記案内レールから取り外す移動手摺取り外し工程と、前記移動手摺保守装置を前記案内レールに取り付ける移動手摺保守装置取付工程と、前記移動手摺保守装置が前記案内レールに取り付けられた状態で前記移動手摺を前記移動手摺保守装置に嵌め込む移動手摺嵌め込み工程と、前記移動手摺が前記移動手摺保守装置に嵌め込まれた状態で前記移動手摺を移動させる移動手摺移動工程と、を備えた。
【発明の効果】
【００１０】
これらの発明によれば、移動手摺保守具は、案内レールに対して着脱自在に設けられる。このため、乗客コンベアの保守員が携帯する治具として移動手摺保守具を利用できる。
【図面の簡単な説明】
【００１１】
【図１】この発明の実施の形態１における乗客コンベアの移動手摺保守装置が適用される乗客コンベアの構成図である。
【図２】この発明の実施の形態１における乗客コンベアの移動手摺保守装置が適用される乗客コンベアの案内レールの第１例の斜視図である。
【図３】この発明の実施の形態１における乗客コンベアの移動手摺保守装置が適用される乗客コンベアの案内レールの第２例の斜視図である。
【図４】この発明の実施の形態１における乗客コンベアの移動手摺保守装置が適用される乗客コンベアのニューアル部の斜視図である。
【図５】この発明の実施の形態１における乗客コンベアの移動手摺保守装置が適用される乗客コンベアのニューアル部の縦断面図である。
【図６】この発明の実施の形態１における乗客コンベアの移動手摺保守具の正面図である。
【図７】この発明の実施の形態１における乗客コンベアの移動手摺保守具の斜視図である。
【図８】この発明の実施の形態１における乗客コンベアの移動手摺保守具の固定部の斜視図である。
【図９】この発明の実施の形態１における乗客コンベアの移動手摺支持具の正面図である。
【図１０】この発明の実施の形態１における乗客コンベアの移動手摺保守方法を説明するためのフローチャートである。
【発明を実施するための形態】
【００１２】
この発明を実施するための形態について添付の図面に従って説明する。なお、各図中、同一または相当する部分には同一の符号が付される。当該部分の重複説明は適宜に簡略化ないし省略される。
【００１３】
実施の形態１．
図１はこの発明の実施の形態１における乗客コンベアの移動手摺保守装置が適用される乗客コンベアの構成図である。
【００１４】
図１の乗客コンベアは、エスカレーターである。例えば、乗客コンベアは、隣接階にまたがる。下部乗降口１は、隣接階のうちの下方階に設けられる。上部乗降口２は、隣接階のうちの上方階に設けられる。
【００１５】
複数のステップ３は、下部乗降口１と上部乗降口２との間に設けられる。複数のステップ３は、無端状に設けられる。
【００１６】
一対のスカートガード４の一方は、複数のステップ３の一側に隣接する。一対のスカートガード４の他方は、複数のステップ３の他側に隣接する。一対の欄干５の一方は、一対のスカートガード４の一方の上部に固定される。一対の欄干５の他方は、一対のスカートガード４の他方の上部に固定される。
【００１７】
一対の案内レール６の一方は、一対の欄干５の一方の上部に設けられる。一対の案内レール６の他方は、一対の欄干５の他方の上部に設けられる。一対の移動手摺７の一方は、無端状に形成される。一対の移動手摺７の一方は、一対の案内レール６の一方に案内される。一対の移動手摺７の他方は、無端状に形成される。一対の移動手摺７の他方は、一対の案内レール６の他方に案内される。
【００１８】
乗客コンベアの上昇運転時において、下部乗降口１は乗り口となる。上部乗降口２は降り口となる。この際、複数のステップ３と一対の移動手摺７とは、同期して移動する。乗客コンベアの下降運転時において、上部乗降口２は乗り口となる。下部乗降口１は降り口となる。この際、複数のステップ３と一対の移動手摺７とは、同期して移動する。
【００１９】
一対の移動手摺７の保守が行われる際、移動手摺保守装置８が用いられる。移動手摺保守装置８は、第１移動手摺保守具９と第２移動手摺保守具１０と第１移動手摺支持具１１と第２移動手摺支持具１２とを備える。
【００２０】
第１移動手摺保守具９は、複数の移動手摺保守具のうちの１つとして案内レール６に対して着脱自在に設けられる。第１移動手摺保守具９は、移動手摺７が浮いた状態において案内レール６に取り付けられた際に移動手摺７の内側に嵌った状態で移動手摺７の内側を保守する。
【００２１】
第２移動手摺保守具１０は、複数の移動手摺保守具のうちの１つとして案内レール６に対して着脱自在に設けられる。例えば、第２移動手摺保守具１０は、移動手摺７の移動方向に対して第１移動手摺保守具９の先で案内レール６に取り付けられる。第２移動手摺保守具１０は、移動手摺７が浮いた状態において案内レール６に取り付けられた際に移動手摺７の内側に嵌った状態で移動手摺７の内側を保守する。
【００２２】
第１移動手摺支持具１１は、複数の移動手摺支持具のうちの１つとして案内レール６に対して着脱自在に設けられる。例えば、第１移動手摺支持具１１は、移動手摺７の移動方向に対して第２移動手摺保守具１０の先で案内レール６に取り付けられる。第１移動手摺支持具１１は、移動手摺７を下方から支持する。
【００２３】
第２移動手摺支持具１２は、複数の移動手摺支持具のうちの１つとして案内レール６に対して着脱自在に設けられる。例えば、第２移動手摺支持具１２は、移動手摺７の移動方向に対して第１移動手摺支持具１１の先で案内レール６に取り付けられる。第２移動手摺支持具１２は、移動手摺７を下方から支持する。
【００２４】
次に、図２と図３とを用いて、案内レール６の概要を説明する。
図２はこの発明の実施の形態１における乗客コンベアの移動手摺保守装置が適用される乗客コンベアの案内レールの第１例の斜視図である。図３はこの発明の実施の形態１における乗客コンベアの移動手摺保守装置が適用される乗客コンベアの案内レールの第２例の斜視図である。
【００２５】
図２と図３とに示されるように、案内レール６は、一対のへり部６ａを備える。一対のへり部６ａの一方は、案内レール６の一側に突き出す。一対のへり部６ａの他方は、案内レール６の他側に突き出す。
【００２６】
図２と図３とにおいては示されないが、一対のへり部６ａの一方は、移動手摺７の内側において移動手摺７の一側に嵌まる。一対のへり部６ａの他方は、移動手摺７の内側において移動手摺７の他側に嵌まる。
【００２７】
次に、図４と図５とを用いて、乗客コンベアのニューアル部における移動手摺７を説明する。
図４はこの発明の実施の形態１における乗客コンベアの移動手摺保守装置が適用される乗客コンベアのニューアル部の斜視図である。図５はこの発明の実施の形態１における乗客コンベアの移動手摺保守装置が適用される乗客コンベアのニューアル部の縦断面図である。
【００２８】
図４に示されるように、移動手摺７の移動方向は、ニューアル部において反転する。移動手摺７は、ニューアル部においても案内レール６に案内される。図５に示されるように、ニューアル部において、案内レール６は、へり部を備えない。このため、移動手摺７は、ニューアル部において円滑に反転する。
【００２９】
次に、図６と図７とを用いて、移動手摺保守具を説明する。
図６はこの発明の実施の形態１における乗客コンベアの移動手摺保守具の正面図である。図７はこの発明の実施の形態１における乗客コンベアの移動手摺保守具の斜視図である。
【００３０】
図６に示されるように、第１移動手摺保守具９は、固定部１３と保守部１４とを備える。
【００３１】
固定部１３は、第１移動手摺保守具９の下部となる。固定部１３は、案内レール６に対して着脱自在に設けられる。例えば、固定部１３は、案内レール６に取り付けられた際に滑らないようにゴムで形成される。保守部１４は、第１移動手摺保守具９の上部となる。保守部１４は、固定部１３の上部に連結される。保守部１４の外形は、案内レール６のへり部６ａの外形と同等である。保守部１４は、移動手摺７の内側に嵌った状態で移動手摺７の内側を保守し得るように設けられる。
【００３２】
具体的には、図７に示されるように、保守部１４は、一対の清掃体１５と一対の塗布体１６と弾性体１７とを備える。
【００３３】
一対の清掃体１５の一方は、保守部１４の手前側の上面に設けられる。例えば、一対の清掃体１５の一方は、ブラシである。一対の清掃体１５の他方は、保守部１４の奥側の上面に設けられる。例えば、一対の清掃体１５の他方は、ブラシである。
【００３４】
一対の塗布体１６の一方は、第１移動手摺保守具９の上面の溝の一側に設けられる。一対の塗布体１６の一方の先端部は、パラフィン等の潤滑剤を吐出し得るように設けられる。一対の塗布体１６の他方は、第１移動手摺保守具９の上面の溝の他側に設けられる。一対の塗布体１６の他方の先端部は、パラフィン等の潤滑剤を吐出し得るように設けられる。
【００３５】
弾性体１７は、一対の塗布体１６の間に設けられる。例えば、弾性体１７は、コイルスプリングである。弾性体１７は、一対の塗布体１６に対して外側への荷重を与え得るように設けられる。
【００３６】
図７においては図示されないが、保守部１４の一側は、案内レール６から浮いた移動手摺７の内側において移動手摺７の一側に嵌まる。保守部１４の他側は、案内レール６から浮いた移動手摺７の内側において移動手摺７の他側に嵌まる。
【００３７】
この状態において移動手摺７が移動すると、一対の清掃体１５は、移動手摺７の内側において移動手摺７の下面を清掃する。例えば、一対の清掃体１５は、移動手摺７の内側において移動手摺７の下面に付着したゴムのかす等を除去する。一対の塗布体１６の一方は、移動手摺７の内側において移動手摺７の一側に潤滑剤を塗布する。一対の塗布体１６の他方は、移動手摺７の内側において移動手摺７の他側に潤滑剤を塗布する。
【００３８】
図６と図７とには図示されないが、第２移動手摺保守具１０も、第１移動手摺保守具９の固定部１３と保守部１４と同等の固定部と保守部とを備える。
【００３９】
次に、図８を用いて、移動手摺保守具の固定部１３を説明する。
図８はこの発明の実施の形態１における乗客コンベアの移動手摺保守具の固定部の斜視図である。
【００４０】
図８に示されるように、固定部１３は、一対の蝶ねじ１８を備える。一対の蝶ねじ１８は、固定部１３の一側面に外側からねじ込まれる。図示されないが、一対の蝶ねじ１８は、ねじ込まれることにより固定部１３を案内レール６に固定する。
【００４１】
次に、図９を用いて、移動手摺支持具を説明する。
図９はこの発明の実施の形態１における乗客コンベアの移動手摺支持具の正面図である。
【００４２】
図９に示されるように、第１移動手摺支持具１１は、固定部１９と支持部２０とを備える。
【００４３】
固定部１９は、第１移動手摺保守具９の固定部１３と同様に設けられる。支持部２０は、固定部１９の上部に連結される。支持部２０は、移動手摺７を下方から支持し得るように設けられる。
【００４４】
具体的には、支持部２０は、案内部２１を備える。
【００４５】
案内部２１は、支持部２０の上部に設けられる。例えば、案内部２１は、ナイロンで形成される。実際には、案内部２１は、移動手摺７の内側において移動手摺７の下面に接触する。
【００４６】
次に、図１０を用いて、移動手摺７の保守方法を説明する。
図１０はこの発明の実施の形態１における乗客コンベアの移動手摺保守方法を説明するためのフローチャートである。
【００４７】
ステップＳ１では、移動手摺取り外し工程が行われる。具体的には、移動手摺７の一部が取り外された状態で乗客コンベアを運転させることにより移動手摺７が案内レール６から全体的に取り外される。
【００４８】
その後、ステップＳ２では、移動手摺保守装置取付工程が行われる。具体的には、第１移動手摺保守具９と第２移動手摺保守具１０と第１移動手摺支持具１１と第２移動手摺支持具１２とが案内レール６に取り付けられる。
【００４９】
その後、ステップＳ３では、移動手摺嵌め込み工程が行われる。具体的には、第１移動手摺保守具９と第２移動手摺保守具１０と第１移動手摺支持具１１と第２移動手摺支持具１２とが案内レール６に取り付けられた状態で移動手摺７が第１移動手摺保守具９と第２移動手摺保守具１０と第１移動手摺支持具１１と第２移動手摺支持具１２とに嵌め込まれる。
【００５０】
その後、ステップＳ４では、移動手摺移動工程が行われる。具体的には、移動手摺７が第１移動手摺保守具９と第２移動手摺保守具１０と第１移動手摺支持具１１と第２移動手摺支持具１２とに嵌め込まれた状態で乗客コンベアが運転されることにより移動手摺７が移動される。
【００５１】
その後、ステップＳ５では、移動手摺解放工程が行われる。具体的には、移動手摺７が第１移動手摺保守具９と第２移動手摺保守具１０と第１移動手摺支持具１１と第２移動手摺支持具１２との嵌め込みから解放される。
【００５２】
その後、ステップＳ６では、移動手摺取付工程が行われる。具体的には、移動手摺７が案内レール６に取り付けられる。
【００５３】
以上で説明した実施の形態１によれば、第１移動手摺保守具９と第２移動手摺保守具１０とは、案内レール６に対して着脱自在に設けられる。このため、乗客コンベアの保守員が携帯する治具として第１移動手摺保守具９と第２移動手摺保守具１０とを利用できる。その結果、移動手摺７の保守作業の効率化を図ることができる。さらに、作業員にかかる肉体的負担を大幅に軽減することができる。
【００５４】
また、第１移動手摺保守具９と第２移動手摺保守具１０とは、上部の側で移動手摺７の内側における移動手摺７の下面を清掃し、側部の側で移動手摺７の内側における移動手摺７の側面に潤滑剤を塗布する。このため、移動手摺７の内側を効率的に保守することができる。
【００５５】
なお、第１移動手摺保守具９と第２移動手摺保守具１０とで移動手摺７の内側を清掃するだけでもよい。この場合、移動手摺７の内側をより確実に清掃することができる。
【００５６】
また、第１移動手摺保守具９と第２移動手摺保守具１０とで移動手摺７の内側に潤滑剤を塗布するだけでもよい。この場合、移動手摺７の内側により確実に潤滑剤を塗布することができる。
【００５７】
また、第１移動手摺支持具１１と第２移動手摺支持具１２とは、移動手摺７を下方から支持する。このため、案内レール６から浮いた移動手摺７を安定して移動させることができる。
【００５８】
この際、移動手摺７にかかる張力を調整すればよい。例えば、第２移動手摺支持具１２の案内レール６への取り付け位置を調整すれば、移動手摺７にかかる張力を適切に調整することができる。例えば、第１移動手摺支持具１１と第２移動手摺支持具１２とにおいて、移動手摺７の内側における下面との接触部を鉛直方向に調整し得るようにすれば、移動手摺７にかかる張力を適切に調整することができる。
【００５９】
また、図１において、第１移動手摺保守具９で移動手摺７の内側を全体的に清掃してもよい。この際、第２移動手摺保守具１０で移動手摺７の内側に潤滑剤を全体的に塗布してもよい。この場合、移動手摺７の内側の清掃と移動手摺７の内側への潤滑剤の塗布とを適切な順番で行うことができる。
【００６０】
また、図１０に示されるように、移動手摺保守装置８だけで移動手摺７の内側の清掃と移動手摺７の内側への潤滑剤の塗布とを行うことができる。このため、様々な場所に設置される乗客コンベアに対し、１つの移動手摺保守装置８で対応することができる。その結果、移動手摺７の内側の清掃と移動手摺７の内側への潤滑剤の塗布とにかかる総合的なコストを抑えることができる。
【００６１】
なお、第１移動手摺保守具９と第２移動手摺保守具１０とのうちの一つのみを利用してもよい。この場合でも、移動手摺７の内側を保守することができる。
【００６２】
また、第１移動手摺支持具１１と第２移動手摺支持具１２とのうちの一つのみを利用してもよい。この場合でも、移動手摺７を支持することができる。
【符号の説明】
【００６３】
１  下部乗降口、  ２  上部乗降口、  ３  ステップ、  ４  スカートガード、  ５  欄干、  ６  案内レール、  ６ａ  へり部、  ７  移動手摺、  ８  移動手摺保守装置、  ９  第１移動手摺保守具、  １０  第２移動手摺保守具、  １１  第１移動手摺支持具、  １２  第２移動手摺支持具、  １３  固定部、  １４  保守部、  １５  清掃体、  １６  塗布体、  １７  弾性体、  １８  蝶ねじ、  １９  固定部、  ２０  支持部、  ２１  案内部
【図１】
2018184240.tif 000003
【図２】
2018184240.tif 000004
【図３】
2018184240.tif 000005
【図４】
2018184240.tif 000006
【図５】
2018184240.tif 000007
【図６】
2018184240.tif 000008
【図７】
2018184240.tif 000009
【図８】
2018184240.tif 000010
【図９】
2018184240.tif 000011
【図１０】
2018184240.tif 000012